(57)【特許請求の範囲】
【請求項１】
被振込専用口座の解約時に予約されている振込を行なうか否かを選択させるシステムであって、
予約された振込を示すデータを格納したデータベースと、
被振込専用口座の解約時に、前記データベースの中から、解約される前記被振込専用口座に対応する入金指定口座に対して予約されている振込を抽出する手段と、
前記被振込専用口座の解約時に、前記データベースの中から、解約される前記被振込専用口座に対して予約されている振込を抽出する手段と、
被振込人端末に、前記被振込専用口座の解約時に予約されている振込を示すデータを送信する手段と、
前記被振込人端末から、前記振込を行なうか否かを示すデータを受信する手段と、
前記受信したデータが前記振込を行なうことを示す場合には、解約される前記被振込専用口座に対応する入金指定口座に入金する手段と
を備えたことを特徴とするシステム。
【請求項２】
前記受信したデータが前記振込を行なわないことを示す場合には、前記被振込専用口座の解約時に予約されている振込を取り消す手段をさらに備えたことを特徴とする請求項１に記載のシステム。
【請求項３】
前記被振込専用口座の解約時に予約されている振込は、前記被振込専用口座宛の振込、および前記被振込専用口座の解約時以降に入金する予定の振込であることを特徴とする請求項１または２に記載のシステム。
【請求項４】
振込処理システムによって実行される方法であって、
被振込専用口座の解約時に、予約された振込を示すデータを格納したデータベースの中から、解約される前記被振込専用口座に対応する入金指定口座に対して予約されている振込を抽出するステップと、
前記被振込専用口座の解約時に、前記データベースの中から、解約される前記被振込専用口座に対して予約されている振込を抽出するステップと、
被振込人端末に、前記被振込専用口座の解約時に予約されている振込を示すデータを送信するステップと、
前記被振込人端末から、前記振込を行なうか否かを示すデータを受信するステップと、
前記受信したデータが前記振込を行なうことを示す場合には、解約される前記被振込専用口座に対応する入金指定口座に入金するステップと
を含むことを特徴とする方法。
【請求項５】
前記受信したデータが前記振込を行なわないことを示す場合には、前記被振込専用口座の解約時に予約されている振込を取り消すステップをさらに含むことを特徴とする請求項４に記載の方法。
【請求項６】
前記被振込専用口座の解約時に予約されている振込は、前記被振込専用口座宛の振込、および前記被振込専用口座の解約時以降に入金する予定の振込であることを特徴とする請求項４または５に記載の方法。
【請求項７】
コンピュータに請求項４から６のいずれか一項に記載の方法を実行させるためのプログラム。
【発明の詳細な説明】
【技術分野】
【０００１】
本発明は、振込処理システムおよび方法に関し、より詳細には、被振込専用口座の解約時に、すでに予約されている振込を行なうか否かを選択させるためのシステムおよび方法に関する。
【背景技術】
【０００２】
従来、入金照合作業を効率化するための仕組みとして、被振込人の入金指定口座に関連付けられた被振込専用口座を利用した振込が知られている（例えば、特許文献１参照）。詳細には、被振込人は、請求先ごとに被振込専用口座を用意して、被振込専用口座の口座番号を請求先に通知する。金融機関は、各請求先からそれぞれの被振込専用口座宛の振込を受け付けると、被振込専用口座に関連付けられた入金指定口座に入金する。入金指定口座の入金明細には、被振込専用口座の口座番号が付加される。そのため、請求先に通知した口座番号と入金明細に付加された口座番号とを照合することによって、入金照合作業を行なうことができる。
【０００３】
このような被振込専用口座を利用した振込では、被振込専用口座宛の振込の予約が受け付けられると、金融機関の所定の期間の経過後に、被振込専用口座に関連付けられた入金指定口座に対して振込の予約の処理が行なわれている。その後、振込予定日になると、入金指定口座に対して予約された振込が実行される。すなわち、振込予定日になると入金指定口座に入金される。
【先行技術文献】
【特許文献】
【０００４】
【特許文献１】特許３０２９４２１号公報
【発明の概要】
【発明が解決しようとする課題】
【０００５】
しかしながら、上記の仕組みにおいて、被振込専用口座の解約時に、すでに振込の予約が受け付けられている場合、予約されている振込を行なうか否かを被振込人が事前に選択できないという問題があった。
【０００６】
詳細には、上記のとおり、被振込専用口座宛の振込の予約が受け付けられた場合、金融機関の所定の期間の経過後に、被振込専用口座に関連付けられた入金指定口座に対して振込の予約の処理が行なわれる。そのため、その後、振込予定日までに被振込専用口座が解約されたとしても、振込予定日になると入金指定口座に対して予約された振込が実行される。すなわち、振込予定日になると入金指定口座に入金される。
【０００７】
しかし、被振込専用口座宛の振込の予約が受け付けられた後、かつ、被振込専用口座に関連付けられた入金指定口座に対して振込の予約の処理が行なわれる前に、被振込専用口座が解約された場合、被振込専用口座宛になされた振込の予約の処理（すなわち、入金指定口座に対する振込の予約の処理）が行なわれない（すでに、処理の対象となる被振込専用口座が存在しないため）。そのため、予約された振込は実行されない。
【０００８】
このように、被振込人の意思に関係なく、いつ振込の予約が受け付けられたか、また、金融機関がいつ予約の処理を行うかによって、上記のように別々の処理が行なわれてしまう。しかし、被振込人によっては、振込日に被振込専用口座が解約されて存在しない以上、被振込専用口座が存在する期間に予約された振込であっても入金処理を望まない場合がある。逆に、振込日には被振込専用口座が解約されて存在しなかったとしても、被振込専用口座が存在する期間に予約された振込については入金処理を望む場合もある。
【０００９】
本発明は、このような問題に鑑みてなされたもので、その目的とするところは、被振込専用口座の解約時に、すでに予約が受け付けられている振込を行なうか否かを被振込人が選択できる振込システムおよび方法を提供することにある。
【課題を解決するための手段】
【００１０】
本発明は、このような目的を達成するために、請求項１に記載の発明は、被振込専用口座の解約時に予約されている振込を行なうか否かを選択させるシステムであって、被振込人端末に、被振込専用口座の解約時に予約されている振込を示すデータを送信する手段と、前記被振込人端末から、前記振込を行なうか否かを示すデータを受信する手段と、前記受信したデータが前記振込を行なうことを示す場合には、解約される前記被振込専用口座に対応する入金指定口座に入金する手段とを備えたことを特徴とする。
【発明の効果】
【００１１】
以上説明したように、本発明によれば、被振込人は、被振込専用口座の解約時に、すでに予約されている振込の内容を把握することができ、それらの振込を行なうか否かを、振込ごとに決定することおよび一括で決定することが可能となる。
【図面の簡単な説明】
【００１２】
【図１】本発明の一実施形態にかかる全体の構成図である。
【図２】本発明の一実施形態にかかる振込処理システムの詳細図である。
【図３】本発明の一実施形態にかかる予約振込データベースの一例である。
【図４】本発明の一実施形態にかかる被振込専用口座データベースの一例である。
【図５】本発明の一実施形態にかかる被振込専用口座解約時における振込処理方法のフローチャートである。
【図６】被振込人端末に表示される画面のイメージである。
【図７】本発明を実施するために用いることができる例示的なコンピュータを示す。
【発明を実施するための形態】
【００１３】
以下、図面を参照しながら本発明の実施形態について詳細に説明する。
【００１４】
図１は、本発明の一実施形態にかかる全体の構成図を示す。金融機関システム１００は、本発明を実施する金融機関のシステムである。金融機関システム１００には、振込処理システム１１０、ＡＴＭ１２１、窓口端末１２２が含まれる。窓口端末１２２は、金融機関の支店などの窓口で受け付けられた振込の手続きを処理するための端末である。振込人端末１２３は、振込人のパーソナルコンピュータなどの端末である。振込人は、ＡＴＭ１２１、窓口端末１２２、振込人端末１２３を介して、振込の予約を行なう。被振込人端末１３０は、被振込人のパーソナルコンピュータなどの端末である。
【００１５】
振込処理システム１１０は、ＡＴＭ１２１、窓口端末１２２、振込人端末１２３、被振込人端末１３０とデータの送受信をすることができる。図２を参照しながら、振込処理システム１１０の詳細を説明する。
【００１６】
図２は、本発明の一実施形態にかかる振込処理システム１１０の詳細図である。振込処理システム１１０には、振込予約受付部２０１、予約振込データベース２０２、被振込専用口座データベース２０３、口座解約部２０４、データ抽出部２０５、データ送受信部２０６、振込実行部２０７、振込取消部２０８が含まれる。
【００１７】
振込予約受付部２０１は、振込の予約（以下、振込予約という）を受け付ける。詳細には、振込予約受付部２０１は、ＡＴＭ１２１、窓口端末１２２、振込人端末１２３から、予約された振込（以下、予約振込という）の内容を示すデータを受信する。予約振込の内容を示すデータには、振込先として指定された被振込専用の口座（以下、被振込専用口座という）の情報、振込が行なわれる予定の日（以下、振込予定日という）、振込人が振り込む金額（以下、振込金額という）、振込人を特定するための情報などが含まれる。なお、振込予定日には、振込人が振込日を指定して予約する場合の指定された振込日、および当日扱いにならなかった（翌営業日扱いになった）場合の振込日が含まれる。次に、振込予約受付部２０１は、受信した予約振込の内容を示すデータを、予約振込データベース２０２に格納する。
【００１８】
予約振込データベース２０２は、予約された振込に関する情報を格納するデータベースである。図３を参照しながら、予約振込データベース２０２の詳細を説明する。
【００１９】
図３は、予約振込データベース２０２の一例である。予約振込データベース２０２には、入金指定口座の情報（店番号、科目、口座番号、口座名義など）、被振込専用口座の情報（店番号、科目、口座番号など）、振込予定日、振込人を特定するための情報（振込人名）、振込金額を示すデータなどが格納される。振込予約受付部２０１がＡＴＭ１２１、窓口端末１２２、振込人端末１２３から受信した、予約振込の内容を示すデータに基づいて、被振込専用口座の情報、振込予定日、振込人を特定するための情報、振込金額を示すデータが格納される。
【００２０】
被振込専用口座データベース２０３は、被振込専用口座と入金指定口座とに関する情報を格納するデータベースである。図４を参照しながら、被振込専用口座データベース２０３の詳細を説明する。
【００２１】
図４は、被振込専用口座データベース２０３の一例である。被振込専用口座データベース２０３には、入金指定口座の情報（店番号、科目、口座番号、口座名義など）、被振込専用口座の情報（店番号、科目、口座番号など）、被振込専用口座の解約予定日を示すデータなどが格納される。被振込専用口座のそれぞれには、実際に振込（入金）が行なわれる入金指定口座が指定されている。「解約予定日」には、被振込人と金融機関との間で定められた、被振込専用口座を解約する予定の日を示すデータが格納される。
【００２２】
図２の説明に戻る。振込予約受付部２０１は、被振込専用口座宛になされた振込予約に基づいて、入金指定口座に対して振込予約の処理を行なう。詳細には、振込予約受付部２０１は、予約振込データベース２０２を参照して、入金指定口座に対する振込予約の処理が行なわれていない予約振込を特定する。すなわち、振込予約受付部２０１は、予約振込データベース２０２内で、被振込専用口座に対応する入金指定口座の情報を示すデータが格納されていない予約振込を特定する。振込予約受付部２０１は、特定された予約振込の被振込専用口座に対応する入金指定口座を、被振込専用口座データベース２０３内で検索する。振込予定受付部２０１は、検索された入金指定口座の情報を示すデータを、予約振込データベース２０２の「入金指定口座」に格納する。したがって、「入金指定口座」と、「振込予定日」、「振込人名」、「振込金額」などの予約振込の内容とを対応付けて管理することができるようになる。
【００２３】
このように、予約振込データベース２０２と被振込専用口座データベース２０３とは、被振込専用口座の情報によって紐付けられる。
【００２４】
図２の説明に戻る。口座解約部２０４は、被振込専用口座の解約の処理を行なう。詳細には、口座解約部２０４は、被振込専用口座データベース２０３の「解約予定日」を参照して、所定の日時が到来すると、該当する被振込専用口座を解約するための処理を行なう。その後、口座解約部２０４は、データ抽出部２０５に、解約した被振込専用口座を通知する。
【００２５】
データ抽出部２０５は、被振込専用口座解約時にすでに予約されている振込を抽出する。（１）入金指定口座に対して振込予約の処理が行なわれている場合と、（２）入金指定口座に対して振込予約の処理が行なわれていない場合（すなわち、被振込専用口座宛の振込予約の受付のみが済んでいる場合）に分けて説明する。
【００２６】
（１）の場合について説明する。データ抽出部２０５は、口座解約部２０４からの通知を受け取ると、被振込専用口座データベース２０３を参照する。データ抽出部２０５は、被振込専用口座データベース２０３内で、解約された被振込専用口座に対応する入金指定口座を特定する。データ抽出部２０５は、予約振込データベース２０２内で、「特定された入金指定口座に対して振込予約の処理が行なわれている予約振込」を抽出する。データ抽出部２０５は、抽出した予約振込の中から、振込予定日に格納されたデータに基づいて「振込予定日が到来していない予約振込」、かつ、被振込専用口座に格納されたデータに基づいて「解約された被振込専用口座宛になされた予約振込」を抽出する。
【００２７】
（２）の場合について説明する。データ抽出部２０５は、口座解約部２０４からの通知を受け取ると、予約振込データベース２０２を参照する。データ抽出部２０５は、予約振込データベース２０２内で、「入金指定口座に対して振込予約の処理が行なわれていない予約振込」を抽出する。データ抽出部２０５は、抽出した予約振込の中から、振込予定日に格納されたデータに基づいて「振込予定日が到来していない予約振込」、かつ、被振込専用口座に格納されたデータに基づいて「解約された被振込専用口座宛になされた予約振込」を抽出する。さらに、データ抽出部２０５は、被振込専用口座データベース２０３内で、解約された被振込専用口座に対応する入金指定口座を特定する。
【００２８】
データ抽出部２０５は、口座解約部２０４からの通知を受け取ると、上記の（１）の抽出および（２）の抽出を実行する。
【００２９】
データ送受信部２０６は、データ抽出部２０５が抽出したデータを、被振込人端末１３０に送信する。また、データ送受信部２０６は、振込を行なうか否かを示すデータを、被振込人端末１３０から受信する。詳細には、データ送受信部２０６は、データ抽出部２０５が上記の（１）および（２）で抽出した予約振込の内容を示すデータを、被振込人端末１３０に送信する。上記のとおり、予約振込の内容を示すデータには、振込先として指定された被振込専用口座の情報、振込予定日、振込金額、振込人を特定するための情報などが含まれる。データ送受信部２０６は、データ送受信部２０６から被振込人端末１３０に送信されたデータが示す予約振込を行なうか否かを示すデータを、被振込人端末１３０から受信する。振込を行なうことを示すデータを受信した場合、データ送受信部２０６は、振込実行部２０７に、振込を行なう予約振込を示すデータを送信する。一方、振込を行なわないことを示すデータを受信した場合、データ送受信部２０６は、振込取消部２０８に、振込を行なわない予約振込を示すデータを送信する。
【００３０】
振込実行部２０７は、データ送受信部２０６から送信されたデータが示す予約振込の入金を行なう。詳細には、振込実行部２０７は、予約振込データベース２０２を参照して、データ送受信部２０６から送信されたデータが示す予約振込の「入金指定口座」の残高を、「振込金額」に格納された金額分だけ増額する。入金は、「振込予定日」に格納された日付に行なうこともできるし、その他の任意の日に行なうこともできる。また、入金指定口座の入金明細には、振り込まれた被振込専用口座の口座番号が付加される。
【００３１】
振込取消部２０８は、データ送受信部２０６から送信されたデータが示す予約振込を取り消す。詳細には、振込取消部２０８は、予約振込データベース２０２を参照して、データ送受信部２０６から送信されたデータが示す予約振込の「振込人」に対して「振込金額」に格納された金額を返金する。
【００３２】
図５は、本発明の一実施形態にかかる、被振込専用口座解約時における振込処理方法のフローチャートである。被振込人と金融機関との間で、被振込専用口座の解約予定日が定められているとする。
【００３３】
また、あらかじめ、振込処理システム１１０の振込予約受付部２０１は、ＡＴＭ１２１または窓口端末１２２または振込人端末１２３から、予約振込の内容を示すデータを受信して、予約振込データベース２０２に格納しているとする。詳細には、振込人が、ＡＴＭ１２１を操作して、または金融機関の支店などで振込の申込をして、またはインターネットバンキングを使用して、被振込専用口座宛の振込の予約を行なう。上記のとおり、予約振込の内容を示すデータには、振込先として指定された被振込専用口座の情報、振込予定日、振込金額、振込人を特定するための情報などが含まれる。
【００３４】
また、あらかじめ、振込処理システム１１０の振込予約受付部２０１は、振込先に指定された被振込専用口座に対応する入金指定口座に対して、振込予約の処理を行なっているとする。詳細には、振込処理システム１１０は、予約振込データベース２０２を参照して、入金指定口座に対する振込予約の処理が行なわれていない予約振込を特定する。すなわち、振込処理システム１１０は、予約振込データベース２０２内で、被振込専用口座に対応する入金指定口座の情報を示すデータが格納されていない予約振込を特定する。振込処理システム１１０は、特定された予約振込の被振込専用口座に対応する入金指定口座を、被振込専用口座データベース２０３内で検索する。振込処理システム１１０は、検索された入金指定口座の情報を示すデータを、予約振込データベース２０２の「入金指定口座」に格納する。なお、入金指定口座に対して振込予約の処理が行なわれていない場合（すなわち、被振込専用口座宛の振込予約の受付のみが済んでいる場合）もある。
【００３５】
ステップ５０１にて、振込処理システム１１０の口座解約部２０４は、解約日が到来した被振込専用口座を解約するための処理を行なう。
【００３６】
ステップ５０２にて、振込処理システム１１０のデータ抽出部２０５は、被振込専用口座の解約時に予約されている振込を抽出する。詳細には、データ抽出部２０５は、上記のとおり、（１）入金指定口座に対して振込予約の処理が行なわれている場合と、（２）入金指定口座に対して振込予約の処理が行なわれていない場合（すなわち、被振込専用口座宛の振込予約の受付のみが済んでいる場合）との両方の予約振込から抽出を行なう。
【００３７】
ステップ５０３にて、振込処理システム１１０のデータ送受信部２０６は、被振込人端末１３０に、ステップ５０２で抽出された予約振込を示すデータを送信する。
【００３８】
ステップ５０４にて、振込処理システム１１０のデータ送受信部２０６は、被振込人端末１３０から、ステップ５０３で送信したデータが示す予約振込を行なうか否かを示すデータを受信する。振込を行なうことを示す場合は、ステップ５０５に進む。一方、振込を行なわないことを示す場合は、ステップ５０６に進む。
【００３９】
ステップ５０５にて、振込処理システム１１０の振込実行部２０７は、ステップ５０４で振込を行なうことを示すデータを受信した予約振込の入金を行なう。
【００４０】
ステップ５０６にて、振込処理システム１１０の振込取消部２０８は、ステップ５０４で振込を行なわないことを示すデータを受信した予約振込を取り消す。
【００４１】
図６は、被振込人端末１３０に表示される、振込を行なうか否かを選択するための画面のイメージである。図６に示すように、被振込専用口座ごとに予約された振込の内容を表示することができる。被振込人は、振込を行うか否かを、被振込専用口座ごとに設定することもできるし、全てを一括で設定することもできる。
【００４２】
図７は、本発明を実施するために用いることができる例示的なコンピュータ７００を示している。上記の振込処理システム１１０、窓口端末１２２、振込人端末１２３、被振込人端末１３０の機能は、コンピュータ７００を用いて実施することができる。コンピュータ７００は、ＣＰＵなどの制御部７０１、主記憶部７０２および補助記憶部７０３、入力部７０４、出力部７０５、ネットワークインターフェース７０６を含む。制御部７０１は、コンピュータ７００において実行される各種処理を行う。主記憶部７０２は、メインメモリとも呼ばれ、受信した各種データ、プログラムおよび当該プログラムによる演算処理後のデータなどを記憶する。補助記憶部７０３は、ハードディスク（ＨＤＤ）などに代表される記憶装置である。入力部７０４は、コンピュータ７００に対する各種入力を受信し、出力部７０５は、コンピュータ７００によって行われる各種出力をディスプレイやプリンタなどのデバイスを介して行う。ネットワークインターフェース７０６は、外部デバイスとのやり取りを行う。
【符号の説明】
【００４３】
１００  金融機関システム
１１０  振込処理システム
１２１  ＡＴＭ
１２２  窓口端末
１２３  振込人端末
１３０  被振込人端末
２０１  振込予約受付部
２０２  予約振込データベース
２０３  被振込専用口座データベース
２０４  口座解約部
２０５  データ抽出部
２０６  データ送受信部
２０７  振込実行部
２０８  振込取消部
７００  コンピュータ
７０１  制御部
７０２  主記憶部
７０３  補助記憶部
７０４  入力部
７０５  出力部
７０６  ネットワークインターフェース
【図１】
0005922176.tif 000002
【図２】
0005922176.tif 000003
【図３】
0005922176.tif 000004
【図４】
0005922176.tif 000005
【図５】
0005922176.tif 000006
【図６】
0005922176.tif 000007
【図７】
0005922176.tif 000008